(57)【要約】【課題】実質的な省スペース化及び配線板状部材の接続作業の効率化を実現可能な電気コネクタを提供する。【解決手段】絶縁性のハウジング１１は、ＦＰＣを＋ｘ方向に差込可能な差込口１５ｂと、＋ｘ方向に差込口１５ｂに差込まれたＦＰＣと平行な向きでＦＰＣを差込可能な差込口１５ｆとを有する。アクチュエータ１３は、ｙ軸方向に延びハウジング１１内に組み込まれた回転軸１３ｄを有し、回転軸１３ｄを中心に差込口１５ｂから離れた第１の位置から差込口１５ｂに近接する第２の位置まで回動操作可能にハウジング１１に取り付けられている。アクチュエータ１３は、第１の位置から第２の位置へ回動操作されると、第１のコンタクト１２ａの第１の信号接点部１２ａｂｃ各々がＦＰＣの各電極を押圧するとともに、第２のコンタクト１２ｂの第２の信号接点部１２ｂｕｃ各々がＦＰＣの各電極を押圧する。【選択図】図６
2017103152.tif 000002
【特許請求の範囲】
【請求項１】
第１の配線板状部材を第１の方向に差込可能な第１の差込部と、前記第１の差込部に差込まれた前記第１の配線板状部材と平行な向きで第２の配線板状部材を前記第１の方向と逆向きの第２の方向に差込可能な第２の差込部とを有する絶縁性のハウジングと、
前記第１、第２の方向に直交し前記第１、第２の差込部に差込まれた前記第１、第２の配線板状部材に平行な方向に延び前記ハウジング内に組み込まれた回転軸を有し、前記回転軸を中心に前記第１の差込部から離れた第１の位置から前記第１の差込部に近接する第２の位置まで回動操作可能に前記ハウジングに取り付けられたアクチュエータと、
前記第１の差込部に差込まれた前記第１の配線板状部材上に前記回転軸の軸方向に沿って配列された複数の電極のいずれかと接触する第１の接点部をそれぞれ有し、導電性かつ弾性を有する複数の第１のコンタクトと、
前記第２の差込部に差込まれた前記第２の配線板状部材上に前記回転軸の軸方向に沿って配列された複数の電極のいずれかと接触する第２の接点部をそれぞれ有し、導電性かつ弾性を有する複数の第２のコンタクトと、
を備え、
前記第１のコンタクトと前記第２のコンタクトとは前記回転軸の軸方向に沿って交互に配列され、
前記アクチュエータが前記第１の位置から前記第２の位置へ回動操作されると、前記第１のコンタクトの前記第１の接点部各々が前記第１の配線板状部材の各電極を押圧するとともに、前記第２のコンタクトの前記第２の接点部各々が前記第２の配線板状部材の各電極を押圧するように構成されている、
電気コネクタ。
【請求項２】
前記アクチュエータが前記第１の位置から前記第２の位置へ回動操作されると、前記第１の差込部に張り出すカム部が、前記アクチュエータの回転軸に設けられており、
前記第１のコンタクトは、
前記第１の方向に延びるように前記ハウジングに固定され前記第１の接点部が形成された第１のビームと、前記第１の方向に延び前記第１のビームとの間に前記第１の差込部及び前記カム部が位置するように配置された第２のビームと、前記第１のビームと前記第２のビームとを相互連結する第１の連結部と、を有し、
前記第１の配線板状部材が前記第１の差込部に差込まれ、前記アクチュエータが前記第１の位置から前記第２の位置へ回動操作されると、前記第１の差込部に張り出した前記カム部が前記第１の配線板状部材に当接し、前記第１のビームと前記第２のビームとが、前記カム部を介して前記第１の配線板状部材を挟持しつつ、前記第１の接点部各々が前記第１の配線板状部材の各電極を押圧するように構成されている、
請求項１に記載の電気コネクタ。
【請求項３】
前記第２のコンタクトは、
前記第２の方向に延びるように前記ハウジングに固定された第３のビームと、前記第２の方向に延び前記第３のビームとの間に前記カム部及び前記第１、第２の差込部が位置するように配置された第４のビームと、前記第１の差込部と前記第２の差込部との間で前記第３のビームと前記第４のビームとを相互連結する第２の連結部と、を有し、
前記第３のビーム及び前記第４のビームの少なくとも一方に前記第２の接点部が設けられ、
前記第１の配線板状部材が前記第１の差込部に差込まれ、前記第２の差込部に前記第２の配線板状部材が差し込まれ、前記アクチュエータが前記第１の位置から前記第２の位置へ回動操作されると、前記第１の配線板状部材と当接した前記カム部の駆動により、前記第２の連結部を中心として前記第４のビームが回動し、前記第３のビームと前記第４のビームとが、前記第２の配線板状部材を狭持しつつ、前記第２の接点部各々が前記第２の配線板状部材の各電極を押圧するように構成された、
請求項２に記載の電気コネクタ。
【請求項４】
前記第１の差込部に差し込まれた前記第１の配線板状部材を係止可能な係止部が、前記ハウジングに設けられている、
請求項１に記載の電気コネクタ。
【請求項５】
前記第１のビームが前記第３のビームに対応し、前記第２のビームが前記第４のビームに対応し、前記第１の連結部が前記第２の連結部に対応するように、前記第１のコンタクトと前記第２のコンタクトとの形状が同一となっており、
前記第１の配線板状部材が前記第１の差込部に差込まれ、前記第２の配線板状部材が前記第２の差込部に差込まれ、前記アクチュエータが前記第１の位置から前記第２の位置へ回動操作されると、前記第１のビームと前記第２のビームとともに、前記第３のビームと前記第４のビームとが、前記カム部を介して前記第１の配線板状部材を挟持し、
前記第２の配線板状部材を、前記第３のビームと前記第４のビームとともに、前記第１のビームと前記第２のビームとが、前記第２の配線板状部材を挟持する、
請求項３に記載の電気コネクタ。
【請求項６】
前記第２のコンタクトの前記第３のビームには、
前記第１の差込部に差込まれた前記第１の配線板状部材上に前記回転軸の軸方向に沿って配列された複数の電極のいずれかと接触する第１の接点部が設けられ、
前記第１のコンタクトの前記第１のビーム及び前記第２ビームの少なくとも一方には、
前記第２の差込部に差込まれた前記第２の配線板状部材上に前記回転軸の軸方向に沿って配列された複数の電極のいずれかと接触する第２の接点部が設けられ、
前記第１の配線板状部材が前記第１の差込部に差込まれ、前記第２の配線板状部材が前記第２の差込部に差込まれ、前記アクチュエータが前記第１の位置から前記第２の位置へ回動操作されると、前記第１のビームに設けられた前記第１の接点部各々とともに、前記第３のビームに設けられた前記第１の接点部各々が、前記第１の配線板状部材の各電極を押圧し、前記第３のビーム及び前記第４のビームの少なくとも一方に設けられた前記第２の接点部各々とともに、前記第１のビーム及び前記第２のビームの少なくとも一方に設けられた前記第２の接点部が、前記第２の配線板状部材の各電極を押圧するように構成され、
前記第１、第２のコンタクトを介して、前記第１の配線板状部材の各電極と前記第２の配線板状部材の各電極とを電気的に接続する、
請求項５に記載の電気コネクタ。
【請求項７】
前記第１、第２のコンタクトには、
実装される基板と電気的に接続する基板接続部が、前記第１、第２の方向に沿って複数設けられている、
請求項５に記載の電気コネクタ。
【発明の詳細な説明】
【技術分野】
【０００１】
本発明は、電気コネクタに関する。
【背景技術】
【０００２】
最近では、携帯電話、スマートフォン及びパーソナルコンピュータ等の電子機器又は電気機器の小型化、薄膜化（省スペース化）が進んでいる。このため、携帯電話等に内蔵される基板に実装され配線板状部材と基板とを接続する電気コネクタにも小型化、薄膜化が求められている。そこで、小型化、薄膜化等を目的として複数の配線板状部材を１つの電気コネクタで差込可能とする電気コネクタが開示されている（特許文献１乃至３参照）。
【先行技術文献】
【特許文献】
【０００３】
【特許文献１】特開平１０−１８９１８５号公報
【特許文献２】特開平１０−２３３２６７号公報
【特許文献３】特開２００４−１９２９６７号公報
【発明の概要】
【発明が解決しようとする課題】
【０００４】
しかしながら、上記特許文献１乃至３に開示された電気コネクタでは、低背化が困難であるなど、省スペース化を実質的には実現できていない面がある。また、配線板状部材をコネクタに差し込んで係止する操作が配線板状部材毎に必要となるので、接続作業が煩雑になるなどの不都合がある。
【０００５】
本発明は、上記実情に鑑みてなされたものであり、実質的な省スペース化及び配線板状部材の接続作業の効率化を実現可能な電気コネクタを提供することを目的とする。
【課題を解決するための手段】
【０００６】
上記目的を達成するために、本発明に係る電気コネクタは、
第１の配線板状部材を第１の方向に差込可能な第１の差込部と、前記第１の差込部に差込まれた前記第１の配線板状部材と平行な向きで第２の配線板状部材を前記第１の方向と逆向きの第２の方向に差込可能な第２の差込部とを有する絶縁性のハウジングと、
前記第１、第２の方向に直交し前記第１、第２の差込部に差込まれた前記第１、第２の配線板状部材に平行な方向に延び前記ハウジング内に組み込まれた回転軸を有し、前記回転軸を中心に前記第１の差込部から離れた第１の位置から前記第１の差込部に近接する第２の位置まで回動操作可能に前記ハウジングに取り付けられたアクチュエータと、
前記第１の差込部に差込まれた前記第１の配線板状部材上に前記回転軸の軸方向に沿って配列された複数の電極のいずれかと接触する第１の接点部をそれぞれ有し、導電性かつ弾性を有する複数の第１のコンタクトと、
前記第２の差込部に差込まれた前記第２の配線板状部材上に前記回転軸の軸方向に沿って配列された複数の電極のいずれかと接触する第２の接点部をそれぞれ有し、導電性かつ弾性を有する複数の第２のコンタクトと、
を備え、
前記第１のコンタクトと前記第２のコンタクトとは前記回転軸の軸方向に沿って交互に配列され、
前記アクチュエータが前記第１の位置から前記第２の位置へ回動操作されると、前記第１のコンタクトの前記第１の接点部各々が前記第１の配線板状部材の各電極を押圧するとともに、前記第２のコンタクトの前記第２の接点部各々が前記第２の配線板状部材の各電極を押圧するように構成されている。
【０００７】
前記アクチュエータが前記第１の位置から前記第２の位置へ回動操作されると、前記第１の差込部に張り出すカム部が、前記アクチュエータの回転軸に設けられており、
前記第１のコンタクトは、
前記第１の方向に延びるように前記ハウジングに固定され前記第１の接点部が形成された第１のビームと、前記第１の方向に延び前記第１のビームとの間に前記第１の差込部及び前記カム部が位置するように配置された第２のビームと、前記第１のビームと前記第２のビームとを相互連結する第１の連結部と、を有し、
前記第１の配線板状部材が前記第１の差込部に差込まれ、前記アクチュエータが前記第１の位置から前記第２の位置へ回動操作されると、前記第１の差込部に張り出した前記カム部が前記第１の配線板状部材に当接し、前記第１のビームと前記第２のビームとが、前記カム部を介して前記第１の配線板状部材を挟持しつつ、前記第１の接点部各々が前記第１の配線板状部材の各電極を押圧するように構成されている、
ものとしてもよい。
【０００８】
前記第２のコンタクトは、
前記第２の方向に延びるように前記ハウジングに固定された第３のビームと、前記第２の方向に延び前記第３のビームとの間に前記カム部及び前記第１、第２の差込部が位置するように配置された第４のビームと、前記第１の差込部と前記第２の差込部との間で前記第３のビームと前記第４のビームとを相互連結する第２の連結部と、を有し、
前記第３のビーム及び前記第４のビームの少なくとも一方に前記第２の接点部が設けられ、
前記第１の配線板状部材が前記第１の差込部に差込まれ、前記第２の差込部に前記第２の配線板状部材が差し込まれ、前記アクチュエータが前記第１の位置から前記第２の位置へ回動操作されると、前記第１の配線板状部材と当接した前記カム部の駆動により、前記第２の連結部を中心として前記第４のビームが回動し、前記第３のビームと前記第４のビームとが、前記第２の配線板状部材を狭持しつつ、前記第２の接点部各々が前記第２の配線板状部材の各電極を押圧するように構成されている、
ものとしてもよい。
【０００９】
前記第１の差込部に差し込まれた前記第１の配線板状部材を係止可能な係止部が、前記ハウジングに設けられている、
ものとしてもよい。
【００１０】
前記第１のビームが前記第３のビームに対応し、前記第２のビームが前記第４のビームに対応し、前記第１の連結部が前記第２の連結部に対応するように、前記第１のコンタクトと前記第２のコンタクトとの形状が同一となっており、
前記第１の配線板状部材が前記第１の差込部に差込まれ、前記第２の配線板状部材が前記第２の差込部に差込まれ、前記アクチュエータが前記第１の位置から前記第２の位置へ回動操作されると、前記第１のビームと前記第２のビームとともに、前記第３のビームと前記第４のビームとが、前記カム部を介して前記第１の配線板状部材を挟持し、
前記第２の配線板状部材を、前記第３のビームと前記第４のビームとともに、前記第１のビームと前記第２のビームとが、前記第２の配線板状部材を挟持する、
ものとしてもよい。
【００１１】
前記第２のコンタクトの前記第３のビームには、
前記第１の差込部に差込まれた前記第１の配線板状部材上に前記回転軸の軸方向に沿って配列された複数の電極のいずれかと接触する第１の接点部が設けられ、
前記第１のコンタクトの前記第１のビーム及び前記第２ビームの少なくとも一方には、
前記第２の差込部に差込まれた前記第２の配線板状部材上に前記回転軸の軸方向に沿って配列された複数の電極のいずれかと接触する第２の接点部が設けられ、
前記第１の配線板状部材が前記第１の差込部に差込まれ、前記第２の配線板状部材が前記第２の差込部に差込まれ、前記アクチュエータが前記第１の位置から前記第２の位置へ回動操作されると、前記第１のビームに設けられた前記第１の接点部各々とともに、前記第３のビームに設けられた前記第１の接点部各々が、前記第１の配線板状部材の各電極を押圧し、前記第３のビーム及び前記第４のビームの少なくとも一方に設けられた前記第２の接点部各々とともに、前記第１のビーム及び前記第２のビームの少なくとも一方に設けられた前記第２の接点部が、前記第２の配線板状部材の各電極を押圧するように構成され、
前記第１、第２のコンタクトを介して、前記第１の配線板状部材の各電極と前記第２の配線板状部材の各電極とを電気的に接続する、
ものとしてもよい。
【００１２】
また、前記第１、第２のコンタクトには、
実装される基板と電気的に接続する基板接続部が、前記第１、第２の方向に沿って複数設けられている、
ものとしてもよい。
【発明の効果】
【００１３】
本発明によれば、２つの配線板状部材を１つのアクチュエータの１回の開閉操作でコネクタに係止する。これにより、アクチュエータを配線板状部材毎に備える必要がなく、複数の配線板状部材の接続作業をまとめて行うことができるので、実質的な省スペース化及び配線板状部材の接続作業の効率化を実現することができる。
【図面の簡単な説明】
【００１４】
【図１】本発明の実施の形態１に係る電気コネクタの斜視図である。
【図２】図１の電気コネクタの斜視図である。
【図３】配線板状部材が挿入された図１の電気コネクタの斜視図である。
【図４】図１の電気コネクタに差込まれる２つの配線板状部材の上面図である。
【図５】図１の電気コネクタの正面図である。
【図６】図６（Ａ）は、図５のＡ−Ａ断面図である。図６（Ｂ）は、図５のＢ−Ｂ断面図である。
【図７】図７（Ａ）は、図１の電気コネクタの正面図である。図７（Ｂ）は、配線板状部材が挿入された状態の電気コネクタのＣ−Ｃ断面図である。図７（Ｃ）は、配線板状部材が挿入された状態の電気コネクタのＤ−Ｄ断面図である。
【図８】本発明の実施の形態２に係る電気コネクタの斜視図である。
【図９】図８の電気コネクタの斜視図である。
【図１０】配線板状部材が挿入された図８の電気コネクタの斜視図である。
【図１１】配線板状部材が挿入された図８の電気コネクタの上面図である。
【図１２】図１２（Ａ）は、図１１のＸ−Ｘ断面図である。図１２（Ｂ）は、図１１のＹ−Ｙ断面図である。
【図１３】図１３（Ａ）は、配線板状部材が挿入された図８の電気コネクタのＸ−Ｘ断面図である。図１３（Ｂ）は、配線板状部材が挿入された図８の電気コネクタのＹ−Ｙ断面図である。
【発明を実施するための形態】
【００１５】
次に、本発明の実施の形態について、図面を参照して詳細に説明する。
【００１６】
実施の形態１．
まず、本発明の実施の形態１について説明する。
【００１７】
図１、図２及び図３に示すように、本発明の実施の形態１に係る電気コネクタ１０Ａは、全体として略平板状の直方体であり、その形状について長手方向、短手方向、厚み方向を有している。なお、各図において、電気コネクタ１０Ａの短手方向をｘ軸方向、長手方向をｙ軸方向、厚み方向をｚ軸方向とする直交座標系（ｘｙｚ座標系）を設定し、この座標系を適宜参照する。また、各軸の矢印方向を＋（プラス）で表し、その反対方向を−（マイナス）で表す。
【００１８】
電気コネクタ１０Ａは、平板状の直方体であるハウジング１１と、ハウジング１１に配置された複数のコンタクト１２と、ハウジング１１に対して回動可能に取り付けられたアクチュエータ１３と、を備える。
【００１９】
ハウジング１１は、樹脂等の絶縁材から構成され、例えば電子機器等の配線基板に、−ｚ側の面を向けて配置される。ハウジング１１では、第１の配線板状部材の一例であるＦＰＣ５０ｂを−ｘ方向（第１の方向）に差し込み可能な差込口１５ｂ（第１の差込部）が形成されている。また、ハウジング１１では、第２の配線板状部材の一例であるＦＰＣ５０ｆを＋ｘ側（第２の方向）に差込み可能な差込口１５ｆ（第２の差込部）が形成されている。差込口１５ｂ、１５ｆでは、開口断面がハウジング１１の長手方向に延びており、手前側の開口が広く、奥側の開口が狭くなっている。差込口１５ｂに差し込まれたＦＰＣ５０ｂの向きと、差込口１５ｆに差し込まれたＦＰＣ５０ｆの向きとは、互いに平行となっている。
【００２０】
図４に示すように、ハウジング１１の差込口１５ｂに差し込まれるＦＰＣ５０ｂは、その一方面（−ｚ側の面）に、配線に接続された複数の電極５１ｂ（点線）を有する。複数の電極５１ｂは、ハウジング１１の長手方向に配列されている。また、ＦＰＣ５０ｂには、突出部５２ｂが形成されている。一方、ハウジング１１の差込口１５ｆに差し込まれるＦＰＣ５０ｆは、その一方の面（＋ｚ側の面）に、配線に接続された複数の電極５１ｆを有する。複数の電極５１ｆは、ハウジング１１の長手方向に配列されている。ＦＰＣ５０ｂの電極５１ｂ及びＦＰＣ５０ｆの電極５１ｆとは、ハウジング１１の長手方向（ｙ軸方向）に交互に並んでいる。
【００２１】
ハウジング１１には、差込口１５ｂ、１５ｆに差し込まれるＦＰＣ５０ｂ、５０ｆを配線基板側（下側）から受ける平板状の下受部１１ａが設けられている。下受部１１ａは、コンタクト１２の短手方向及びコンタクト１２の配列方向に延設されている。下受部１１ａには、複数のコンタクト１２を保持するためにハウジング１１の長手方向に配列されハウジング１１の短手方向に延びる凹み状の複数の溝Ｚｂが形成されている。
【００２２】
差込口１５ｂ、１５ｆを挟んでハウジング１１の下受部１１ａの逆側には、上板部１１ｂが設けられている。上板部１１ｂの下受部１１ａと対向する面には、溝Ｚｂに対応する溝Ｚｕが形成されている。
【００２３】
ハウジング１１は、一対の拡張部１１ｅ及び係止部１１ｆを有する。各拡張部１１ｅは、ハウジング１１の長手方向両端において、差込口１５ｂの下受部１１ａから＋ｘ方向に張り出している。係止部１１ｆは、拡張部１１ｅの先端に形成されており、＋ｚ方向に突出している。係止部１１ｆは、図３に示すように、ＦＰＣ５０ｂの突出部５２ｂを係止する。
【００２４】
コンタクト１２は、板状の金属等から形成される導電体であって、弾性を有している。コンタクト１２には、２種類のものが用いられている。第１のコンタクト１２ａと第２のコンタクト１２ｂである。第１のコンタクト１２ａは、ハウジング１１の差込口１５ｂに差し込まれたＦＰＣ５０ｂの複数の電極５１ｂのいずれかに対応する位置に配置されている。第２のコンタクト１２ｂは、ハウジング１１の差込口１５ｆに差し込まれたＦＰＣ５０ｆの複数の電極５１ｆのいずれかに対応する位置に配置されている。これにより、第１のコンタクト１２ａ及び第２のコンタクト１２ｂは、ハウジング１１の長手方向（ｙ軸方向）に交互に配置される。
【００２５】
第１のコンタクト１２ａは、電気コネクタ１０Ａの組み立ての際（アクチュエータ１３がハウジング１１に取り付けられる前に）、差込口１５ｆから挿入され、差込口１５ｆ手前側から差込口１５ｆ奥側にスライドするようにして、ハウジング１１に挿入される。
【００２６】
一方、第２のコンタクト１２ｂは、電気コネクタ１０Ａの組み立ての際（アクチュエータ１３がハウジング１１に取り付けられる前に）、差込口１５ｂから挿入され、差込口１５ｂ手前側から差込口１５ｂ奥側にスライドするようにしてハウジング１１に挿入される。
【００２７】
このとき、第１のコンタクト１２ａ及び第２のコンタクト１２ｂは、ハウジング１１の溝Ｚｕに挿入され、溝Ｚｂに圧入又はハウジング１１に係止されることで、ハウジング１１に対して固定された状態になる。
【００２８】
続いて、図５のＡ−Ａ断面図である図６（Ａ）に示すように、第１のコンタクト１２ａは、一対のビーム（下ビーム１２ａｂ（第１のビーム）、後方上ビーム１２ａｕｂ（第２のビーム））を備える。下ビーム１２ａｂ及び後方上ビーム１２ａｕｂは、ハウジング１１の短手方向に延設されている。下ビーム１２ａｂは、溝Ｚｂ側に嵌め込まれ、後方上ビーム１２ａｕｂは、溝Ｚｕに嵌め込まれる。下ビーム１２ａｂには、係止部１２ａｈ１、１２ａｈ２が設けられており、この係止部１２ａｈ１、１２ａｈ２により、下ビーム１２ａｂがハウジング１１に係止され固定される。
【００２９】
さらに、第１のコンタクト１２ａは、下ビーム１２ａｂと後方上ビーム１２ａｕｂとを接続する接続部１２ａｓ（第１の連結部）を備える。下ビーム１２ａｂと後方上ビーム１２ａｕｂとが接続部１２ａｓで接続されることで、第１のコンタクト１２ａの外形は、略ｈ字状を成している。
【００３０】
下ビーム１２ａｂは、接続部１２ａｓを境界として、一方側（差込口１５ｆ側）の前方下ビーム１２ａｂｆと、他方側（差込口１５ｂ側）の後方下ビーム１２ａｂｂとに分けられる。
【００３１】
図６（Ａ）に示すように、差込口１５ｂ側にある上下のビーム組（後方下ビーム１２ａｂｂ及び後方上ビーム１２ａｕｂ）は、ハウジング１１の差込口１５ｂの内周に配置されている。後方下ビーム１２ａｂｂは、ハウジング１１の短手方向に延設されており、溝Ｚｂに接触し保持されハウジング１１に固定されている。後方上ビーム１２ａｕｂは、ハウジング１１の短手方向に延設されており、溝Ｚｕ内に変位可能に保持されている。
【００３２】
後方上ビーム１２ａｕｂは、アクチュエータ１３と干渉しないように、カム部１３ｃの直上位置に設けられたスリット１３ｅに挿通されている。後方下ビーム１２ａｂｂと後方上ビーム１２ａｕｂとの間には、後述するアクチュエータ１３における断面形状が略楕円様をなすカム部１３ｃが位置している。後方上ビーム１２ａｕｂは、カム部１３ｃに接触可能に配置されている。後方下ビーム１２ａｂｂとカム部１３ｃとの間には、ＦＰＣ５０ｂを挿入可能なスペースが設けられている。
【００３３】
後方下ビーム１２ａｂｂには、第１の信号接点部１２ａｂｃが設けられている。第１の信号接点部１２ａｂｃは、ＦＰＣ５０ｂの複数の電極５１ｂのいずれかに接触可能に配置されている。第１の信号接点部１２ａｂｃはハウジング１１に差し込まれたＦＰＣ５０ｂの電極５１ｂに向かって凸状であり、第１の信号接点部１２ａｂｃの一部が突出した状態で露出している。
【００３４】
また、前方下ビーム１２ａｂｆは、ハウジング１１の差込口１５ｂ側の端部に、例えば電子機器等の配線基板の電極にハンダ付けされる第１の基板接続部１２ａ＿ｓｕｂ＿ｃを備える。第１の基板接続部１２ａ＿ｓｕｂ＿ｃは、接続面を除いて全面露出した状態となっている。第１の基板接続部１２ａ＿ｓｕｂ＿ｃと係止部１２ａｈ１との間には、ハンダを逃がすための空隙が設けられている。
【００３５】
第２のコンタクト１２ｂは、図５のＢ−Ｂ断面図である図６（Ｂ）に示すように、一対のビーム（下ビーム１２ｂｂ（第３のビーム）、上ビーム１２ｂｕ（第４のビーム））を備える。下ビーム１２ｂｂ及び上ビーム１２ｂｕは、ハウジング１１の短手方向に延設されている。下ビーム１２ｂｂは、溝Ｚｂ側に嵌め込まれ、上ビーム１２ｂｕは、溝Ｚｕ側に嵌め込まれる。下ビーム１２ｂｂには、係止部１２ｂｈ１、固定部１２ｂｈ２が設けられている。係止部１２ｂｈ１はハウジング１１と係止し、固定部１２ｂｈ２は、溝Ｚｂの幅とほぼ同じ幅を有しており、溝Ｚｂ内に圧入されハウジング１１内に固定される。この係止部１２ｂｈ１、固定部１２ｂｈ２により、下ビーム１２ｂｂがハウジング１１に係止され固定される。
【００３６】
さらに、第２のコンタクト１２ｂは、下ビーム１２ｂｂと上ビーム１２ｂｕとをそれらの中央付近で接続する接続部１２ｂｓ（第２の連結部）を備える。下ビーム１２ｂｂと上ビーム１２ｂｕとが接続部１２ｂｓで接続されることで、第２のコンタクト１２ｂの外形は、略Ｈ字状を成している。
【００３７】
下ビーム１２ｂｂは、接続部１２ｂｓを境界として、一方側（差込口１５ｆ側）の前方下ビーム１２ｂｂｆと、他方側（差込口１５ｂ側）の後方下ビーム１２ｂｂｂとに分けられる。また、上ビーム１２ｂｕは、接続部１２ｂｓを境界として、一方側（差込口１５ｆ側）の前方上ビーム１２ｂｕｆと他方側（差込口１５ｂ側）の後方上ビーム１２ｂｕｂとに分けられる。
【００３８】
後方下ビーム１２ｂｂｂ及び後方上ビーム１２ｂｕｂは、ハウジング１１の差込口１５ｂ側に配置されている。後方下ビーム１２ｂｂｂは、係止部１２ａｈ１、１２ａｈ２により溝Ｚｂ内でハウジング１１に固定され、後方上ビーム１２ｂｕｂは、溝Ｚｕ内に変位可能に配置されている。後方上ビーム１２ｂｕｂは、図６（Ｂ）に示すように、カム部１３ｃの直上位置に設けられたスリット１３ｅに挿通されている。後方下ビーム１２ｂｂｂと後方上ビーム１２ｂｕｂとの間には、後述するアクチュエータ１３における断面形状が略楕円様をなすカム部１３ｃが位置している。後方上ビーム１２ｂｕｂは、カム部１３ｃに接触している。後方下ビーム１２ｂｂｂとカム部１３ｃとの間には、ＦＰＣ５０ｂを挿入可能なスペースが設けられている。
【００３９】
図６（Ｂ）に示すように、前方下ビーム１２ｂｂｆ及び前方上ビーム１２ｂｕｆは、ハウジング１１の差込口１５ｆの内周に配置されている。前方下ビーム１２ｂｂｆは、ハウジング１１の短手方向に延設されており、溝Ｚｂに接触し保持されハウジング１１に固定されている。前方上ビーム１２ｂｕｆは、ハウジング１１の短手方向に延設されており、溝Ｚｕ内に変位可能に保持されている。
【００４０】
前方上ビーム１２ｂｕｆの差込口１５ｆ手前側の端部には、第２の信号接点部１２ｂｕｃが設けられている。第２の信号接点部１２ｂｕｃは差込口１５ｆから差し込まれたＦＰＣ５０ｆの電極５１ｆに向かって凸状であり、第２の信号接点部１２ｂｕｃの一部は、突出した状態でハウジング１１から露出している。第２の信号接点部１２ｂｕｃは、ＦＰＣ５０ｆの複数の電極５１ｆのいずれかに接触可能に配置されている。
【００４１】
一方、前方下ビーム１２ｂｂｆは、前方上ビーム１２ｂｕｆと共に、ハウジング１１の差込口１５ｆに差し込まれたＦＰＣ５０ｆを挟持できるよう第２の信号接点部１２ｂｕｃと対向する位置に、第２の接触部１２ｂｂｃを備える。第２の接触部１２ｂｂｃは、ハウジング１１に差し込まれたＦＰＣ５０ｆの他方の面に向かって凸状であり、ハウジング１１に差し込まれたＦＰＣ５０ｆの他方面に接触可能に配置されている。
【００４２】
後方下ビーム１２ｂｂｂは、差込口１５ｂ手前側の端部に、例えば電子機器等の配線基板の電極にハンダ付けされる第２の基板接続部１２ｂ＿ｓｕｂ＿ｃを備える。第２の基板接続部１２ｂ＿ｓｕｂ＿ｃは、接続面を除いて全面露出した状態となっている。第２の基板接続部１２ｂ＿ｓｕｂ＿ｃと係止部１２ｂｈ１との間には、ハンダを逃がすための空隙が設けられている。
【００４３】
アクチュエータ１３は、例えば、図１、図２及び図３に示すように、ハウジング１１の差込口１５ｂ側に配置されている。アクチュエータ１３は、ハウジング１１の長手方向（ｙ軸方向）に沿って延在する操作部１３ａを備える。
【００４４】
また、アクチュエータ１３は、ハウジング１１の長手方向に延びハウジング１１に対して回転可能に組み込まれた回転軸１３ｄを有している。回転軸１３ｄでは、第１のコンタクト１２ａ及び第２のコンタクト１２ｂを作動させ、その断面が直交する短軸と長軸とを有する略楕円様である複数のカム部１３ｃが一体的に設けられている。カム部１３ｃは、第１のコンタクト１２ａの他方側にある一対のビーム（後方上ビーム１２ａｕｂ及び後方下ビーム１２ａｂｂ）及び第２のコンタクト１２ｂの他方側にある一対のビーム（後方上ビーム１２ｂｕｂ及び後方下ビーム１２ｂｂｂ）との間に回転軸１３ｄを中心に回転可能にハウジング１１に保持される。アクチュエータ１３は、操作部１３ａにより、回転軸１３ｄを中心に差込口１５ｂから離れた位置（図１、図２に示す第１の位置）から差込口１５ｂに近接する位置（図３に示す第２の位置）まで回動操作可能にハウジング１１に取り付けられている。この回動の際に、アクチュエータ１３とハウジング１１とが干渉しないように、ハウジングには、スリット１１ｃが設けられている。
【００４５】
また、カム部１３ｃは、アクチュエータ１３は第１の位置から第２の位置へ回動操作されると、差込口１５ｂに張り出す。このため、ＦＰＣ５０ｂが差込口１５ｂに差込まれ、アクチュエータ１３が第１の位置から第２の位置へ回動操作されると、差込口１５ｂに張り出したカム部１３ｃがＦＰＣ５０ｂに当接する。これにより、後方下ビーム１２ａｂｂと後方上ビーム１２ａｕｂとが、カム部１３ｃを介してＦＰＣ５０ｂを挟持しつつ、第１の信号接点部１２ａｂｃ各々がＦＰＣ５０ｂの各電極５１ｂを押圧する。
【００４６】
また、ＦＰＣ５０ｂが差込口１５ｂに差込まれ、さらにＦＰＣ５０ｆが差込口１５ｆに差し込まれた後、アクチュエータ１３が第１の位置から第２の位置へ回動操作されると、ＦＰＣ５０ｂと当接したカム部１３ｃの駆動により、接続部１２ｂｓを中心として上ビーム１２ｂｕが回動し、下ビーム１２ｂｂと上ビーム１２ｂｕとが、ＦＰＣ５０ｆを狭持しつつ、第２の信号接点部１２ｂｕｃ各々がＦＰＣ５０ｆの各電極５１ｆを押圧する。
【００４７】
上述した各構成要素からなる電気コネクタ１０Ａの接続動作について説明する。ここで、配線基板の電極に第１の基板接続部１２ａ＿ｓｕｂ＿ｃ及び第２の基板接続部１２ｂ＿ｓｕｂ＿ｃがハンダ付けにより既に接続されているものとする。第１、第２の基板接続部１２ａ＿ｓｕｂ＿ｃ、１２ｂ＿ｓｕｂ＿ｃ等は、ハウジング１１の短手方向の端部まで延びており、外部に露出しているので、ハンダ付けがきちんとできているか否かを確認することができる。
【００４８】
また、この段階では、アクチュエータ１３は、例えば、図１、図２に示す開放状態（第１の位置）にあり、図６（Ａ）、図６（Ｂ）に示すように、カム部１３ｃの断面上の短軸が、後方下ビーム１２ａｂｂ及び後方上ビーム１２ａｕｂ、後方下ビーム１２ｂｂｂ及び後方上ビーム１２ｂｕｂに対向しているものとする。この場合、カム部１３ｃと後方下ビーム１２ａｂｂ、１２ｂｂｂとの間隔はＦＰＣ５０ｂを挿入できる程度に大きくなっている。
【００４９】
この状態で、操作者は、ハウジング１１の差込口１５ｆにＦＰＣ５０ｂを差し込んで、係止部１１ｆにＦＰＣ５０ｂの突起部５２ｂを係止させた状態で、ＦＰＣ５０ｂをハウジング１１にセットする。
【００５０】
開放状態のアクチュエータ１３を、操作者が回動操作すると、アクチュエータ１３は、図３及び図７（Ａ）に示すように、ＦＰＣ５０ｂ、５０ｆの差し込み方向に対して略水平な状態、即ち、ロック状態（第２の位置）になる。アクチュエータ１３が開放状態からロック状態に回動操作されている最中、アクチュエータ１３のカム部１３ｃは、回転軸１３ｄを中心に回転する。
【００５１】
アクチュエータ１３がロック状態（第２の位置）にあるとき、図７（Ｂ）に示すように、カム部１３ｃと後方下ビーム１２ａｂｂとの間隔が狭くなって、カム部１３ｃが差込口１５ｂの内周側に突出してＦＰＣ５０ｂと当接し、第１の信号接点部１２ａｂｃと電極５１ｂとが接触状態になる。カム部１３ｃは、さらに後方上ビーム１２ａｕｂと後方下ビーム１２ａｂｂとの間を広げようとする。この力の反作用により、電極５１ｂに対して第１のコンタクト１２ａの接触圧が掛かった状態となる。
【００５２】
また、アクチュエータ１３がロック状態（第２の位置）にあるとき、図７（Ｃ）に示すように、カム部１３ｃは、後方上ビーム１２ｂｕｂ及び後方下ビーム１２ｂｂｂの間を広げようとする。これにより、前方上ビーム１２ｂｕｆが接続部１２ａｓを介して下方に押し下げられ、前方上ビーム１２ｂｕｆ、前方下ビーム１２ｂｂｆの間隔は、アクチュエータ１３が開放状態のときよりも狭くなる。この結果、第２の信号接点部１２ｂｕｃとＦＰＣ５０ｆの電極５１ｆとが接触し、電極５１ｆに対して第２のコンタクト１２ｂの接触圧が掛かった状態となる。
【００５３】
上述のように、電気コネクタ１０Ａでは，差込口１５ｂにＦＰＣ５０ｂが差し込まれ、差込口１５ｆにＦＰＣ５０ｆが差し込まれた状態で、アクチュエータ１３を第１の位置から第２の位置に回動させるだけで、ＦＰＣ５０ｂ及びＦＰＣ５０ｆを電気コネクタ１０Ａに接続することができる。すなわち、本実施の形態の電気コネクタ１０Ａによれば、１つのアクチュエータで２つのＦＰＣ５０ｂ、５０ｆを１回の開閉操作で係止する。これにより、アクチュエータ１３をＦＰＣ５０ｂ、５０ｆ毎に備える必要がなく、複数のＦＰＣ５０ｂ、５０ｆの接続作業をまとめて行うことができるので、実質的な省スペース化及びＦＰＣ５０ｂ、５０ｆの接続作業の効率化を実現することができる。
【００５４】
実施の形態２．
まず、本発明の実施の形態２について説明する。
【００５５】
図８、図９及び図１０に示すように、本実施の形態に係る電気コネクタ１０Ｂは、ＦＰＣ５０ｂ、５０ｆを差し込み、ハウジング１１、コンタクト１２、アクチュエータ１３を備える点では、上記実施の形態１に係る電気コネクタ１０Ａと同じである。
【００５６】
本実施の形態では、コンタクト１２の形状が、上記実施の形態１と異なる。また、第１のコンタクト１２ａと、第２のコンタクト１２ｂとが形状において同一となっている。
【００５７】
図１１のＸ−Ｘ断面図である図１２（Ａ）に示すように、第１のコンタクト１２ａは、後方上ビーム１２ａｕｂだけでなく、−ｘ方向に延びる前方上ビーム１２ａｕｆが形成された上ビーム１２ａｕを有する点が、図６（Ａ）に示す実施の形態１に係る第１のコンタクト１２ａと異なっている。
【００５８】
上ビーム１２ａｕは、ハウジング１１の短手方向に延設されている。下ビーム１２ａｂは、溝Ｚｂ側に嵌め込まれ、上ビーム１２ａｕは、溝Ｚｕ側に嵌め込まれる。下ビーム１２ａｂには、固定部１２ｈが設けられており、この固定部１２ｈにより、下ビーム１２ａｂがハウジング１１に固定される。
【００５９】
さらに、第１のコンタクト１２ａは、下ビーム１２ａｂと上ビーム１２ａｕとを接続する接続部１２ａｓ（第１の連結部）を備える。下ビーム１２ａｂと上ビーム１２ａｕとが接続部１２ａｓで接続されることで、第１のコンタクト１２ａの外形は、略Ｈ字状を成している。
【００６０】
上ビーム１２ａｕは、接続部１２ａｓを境界として、一方側（差込口１５ｆ側）の前方上ビーム１２ａｕｆと他方側（差込口１５ｂ側）の後方上ビーム１２ａｕｂとに分けられる。このように、本実施の形態では、下ビーム１２ａｂが下ビーム１２ｂｂに対応し、上ビーム１２ａｕが上ビーム１２ｂｕに対応し、接続部１２ａｓが接続部１２ｂｓに対応するように、第１のコンタクト１２ａと第２のコンタクト１２ｂとの形状が同一となっている。
【００６１】
図１２（Ａ）に示すように、前方下ビーム１２ａｂｆ及び前方上ビーム１２ａｕｆは、ハウジング１１の差込口１５ｆの内周に配置されている。前方下ビーム１２ａｂｆは、溝Ｚｂに固定され、前方上ビーム１２ｂｕｆは、ハウジング１１の短手方向に延設されており、溝Ｚｕ内に変位可能に保持されている。
【００６２】
前方上ビーム１２ａｕｆの差込口１５ｆ手前側の端部には、接触部１２ａｕｃ＿ｆが設けられている。接触部１２ａｕｃ＿ｆは差込口１５ｆから差し込まれたＦＰＣ５０ｆに向かって凸状であり、接触部１２ａｕｃ＿ｆの一部は、突出した状態でハウジング１１から露出している。接触部１２ａｕｃ＿ｆは、ＦＰＣ５０ｆに接触可能に配置されている。
【００６３】
一方、前方下ビーム１２ａｂｆは、前方上ビーム１２ａｕｆと共に、ハウジング１１に差し込まれたＦＰＣ５０ｆを挟持できるよう接触部１２ａｕｃ＿ｆと対向する位置に、接触部１２ａｂｃ＿ｆを備える。接触部１２ａｕｃ＿ｆ，１２ａｂｃ＿ｆは、ハウジング１１に差し込まれたＦＰＣ５０ｆの他方の面に向かって凸状であり、ハウジング１１に差し込まれたＦＰＣ５０ｆに接触可能に配置されている。
【００６４】
本実施の形態では、第２のコンタクト１２ｂの形状は、具体的には、図１１のＹ−Ｙ断面図である図１２（Ｂ）に示すように、上記実施の形態１の第２のコンタクト１２ｂと形状（図６（Ｂ））とほぼ同一である。第２のコンタクト１２ｂの後方下ビーム１２ｂｂｂには、ＦＰＣ５０ｂに対応する位置に、接触部１２ｂｂｃ＿ｂが形成されている。接触部１２ｂｂｃ＿ｂは、差込口１５ｂに差し込まれたＦＰＣ５０ｂに接触する。
【００６５】
また、図１２（Ａ）に示すように、後方下ビーム１２ａｂｂは、差込口１５ｂ手前側の端部に、例えば電子機器等の配線基板の電極にハンダ付けされる２つの第１の基板接続部１２ａ＿ｓｕｂ＿ｃ１、１２ａ＿ｓｕｂ＿ｃ２を備える。第１の基板接続部１２ａ＿ｓｕｂ＿ｃ１、１２ａ＿ｓｕｂ＿ｃ２は、接続面を除いて全面露出した状態となっている。これにより、各第１のコンタクト１２ａについて、回路基板上の２箇所に、選択的に第１のコンタクト１２ａと導通する電極を形成することができるようになっている。第１の基板接続部１２ａ＿ｓｕｂ＿ｃ２は、ハウジング１１と係止する役目も果たしている。
【００６６】
また、図１２（Ｂ）に示すように、後方下ビーム１２ｂｂｂは、差込口１５ｂ手前側の端部に、例えば電子機器等の配線基板の電極にハンダ付けされる２つの第２の基板接続部１２ｂ＿ｓｕｂ＿ｃ１、１２ｂ＿ｓｕｂ＿ｃ２を備える。第２の基板接続部１２ｂ＿ｓｕｂ＿ｃ１、１２ｂ＿ｓｕｂ＿ｃ２は、接続面を除いて全面露出した状態となっている。これにより、各第２のコンタクト１２ｂについて、回路基板上の２箇所に、選択的に第２のコンタクト１２ｂと導通する電極を形成することができるようになっている。このようにすれば、例えば、第１のコンタクト１２ａと導通する電極と、第２のコンタクト１２ｂと導通する電極とを、ｙ軸方向にずらして配置（千鳥状に配置）して、電極間の短絡を防止しつつ、電極の間隔を短くすることにより、回路基板の省スペース化を実現することができる。なお、第２の基板接続部１２ｂ＿ｓｕｂ＿ｃ２は、ハウジング１１と係止する役目も果たしている。
【００６７】
このように、本実施の形態では、第２のコンタクト１２ｂの形状は、上述した第１のコンタクト１２ａと同じである。第２のコンタクト１２ｂの下ビーム１２ｂｂ（１２ｂｂｆ、１２ｂｂｂ）、上ビーム１２ｂｕ（１２ｂｕｆ、１２ｂｕｂ）、接続部１２ｂｓが、第１のコンタクト１２ａの下ビーム１２ａｂ、上ビーム１２ａｕ、接続部１２ａｓに対応する。また、第２のコンタクト１２ｂの第２の信号接点部１２ｂｕｃ＿ｆ、第２の接触部１２ｂｂｃ＿ｆ、接触部１２ｂｂｃ＿ｂが、第１のコンタクト１２ａの接触部１２ａｕｃ＿ｆ、接触部１２ａｂｃ＿ｆ、第１の信号接点部１２ａｂｃに対応する。さらに、第２のコンタクト１２ｂの第２の基板接続部１２ｂ＿ｓｕｂ＿ｃ１、１２ｂ＿ｓｕｂ＿ｃ２が、第１のコンタクト１２ａの第１の基板接続部１２ａ＿ｓｕｂ＿ｃ１、１２ａ＿ｓｕｂ＿ｃ２に対応する。
【００６８】
上記構成を有する電気コネクタ１０において、ＦＰＣ５０ｂが差込口１５ｂに差込まれ、ＦＰＣ５０ｆが差込口１５ｆに差込まれ、アクチュエータ１３が第１の位置から第２の位置へ回動操作されると、図１３（Ａ）及び図１３（Ｂ）に示すように、下ビーム１２ａｂと上ビーム１２ａｕとともに、下ビーム１２ｂｂと上ビーム１２ｂｕとが、カム部１３ｃを介してＦＰＣ５０ｂを挟持するようになる。また、ＦＰＣ５０ｆを、下ビーム１２ｂｂと上ビーム１２ｂｕとともに、下ビーム１２ａｂと上ビーム１２ａｕとが、ＦＰＣ５０ｆを挟持するようになる。上記実施の形態１に係る電気コネクタ１０Ａでは、第１のコンタクト１２ａでＦＰＣ５０ｂを保持し、第２のコンタクト１２ｂでＦＰＣ５０ｆを保持していたが、本実施の形態に係る電気コネクタ１０Ｂでは、第１のコンタクト１２ａだけでなく第２のコンタクト１２ｂでＦＰＣ５０ｂを保持し、第２のコンタクト１２ｂだけでなく第１のコンタクト１２ａでＦＰＣ５０ｆを保持することができるので、ＦＰＣ５０ｂ、５０ｆの保持力をより大きくすることができる。
【００６９】
このように、第１のコンタクト１２ａと第２のコンタクト１２ｂとの形状を同一とすれば、それらを成形する金型を共通のものとすることができる。これにより、電気コネクタ１０Ｂの製造工程を簡略化し、製造コストを削減することができる。
【００７０】
なお、第２のコンタクト１２ｂの下ビーム１２ｂｂには、差込口１５ｂに差込まれたＦＰＣ５０ｂと接触する第１の接触部１２ｂｂｃ＿ｂが設けられている。また、第１のコンタクト１２ａの下ビーム１２ａｂ及び上ビーム１２ａｕには、差込口１５ｆに差込まれたＦＰＣ５０ｆと接触する接触部１２ａｕｃ＿ｆ、１２ａｂｃ＿ｆが設けられている。
【００７１】
この構成を利用して、中継コネクタを実現することができる。例えば、ＦＰＣ５０ｂの電極５１ｂの配置間隔を上記実施の形態１の半分とし、第１のコンタクト１２ａの第１の信号接点部１２ａｂｃ各々とともに、第２のコンタクト１２ｂに設けられた接触部１２ｂｂｃ＿ｂ各々に、ＦＰＣ５０ｂの各電極５１ｂを押圧させる。また、ＦＰＣ５０ｆの電極５１ｆの配置間隔を上記実施の形態１の半分とし、第２のコンタクト１２ｂの第２の信号接点部１２ｂｕｃ＿ｆ各々とともに、第１のコンタクト１２ａに設けられた接触部１２ａｕｃ＿ｆ各々に、ＦＰＣ５０ｆの各電極５１ｆを押圧させる。
【００７２】
このようにすれば、第１のコンタクト１２ａ、第２のコンタクト１２ｂを介して、ＦＰＣ５０ｂの各電極５１ｂとＦＰＣ５０ｆの各電極５１ｆとを電気的に接続し、電気コネクタ１０Ｂを中継コネクタとして用いることができる。
【００７３】
以上、本発明の実施の形態を説明したが、この発明は上記の実施の形態に限定されず、種々の変形及び応用が可能である。
【００７４】
また、上述した実施の形態の電気コネクタ１０Ａ、１０Ｂでは、差込口１５ｆに差し込まれたＦＰＣ５０ｆと係止するロック部を備えていてもよい。このロック部も、アクチュエータ１３が第１の位置から第２の位置へ回動することにより、ロック状態となるようにすればよい。
【００７５】
なお、上記実施の形態では、コンタクト１２ａの前方上ビーム１２ａｕｆ、前方下ビーム１２ａｂｆ等との間をやや小さくして、差込口１５ｆに挿入されたＦＰＣ５０ｆを前方上ビーム１２ａｕｆ、前方下ビーム１２ａｂｆ等に仮保持させるようにしてもよい。この仮保持の後、アクチュエータ１３を回転操作して、ＦＰＣ５０ｆをロック部材により係止すればよい。
【００７６】
また、上述した実施の形態の電気コネクタ１０Ａ、１０Ｂは、ＦＰＣ５０ｂ、５０ｆを対象としたが、ＦＦＣ（フレキシブルフラットケーブル）を対象とするものであってもよい。
【００７７】
また、上記各実施の形態では、ハウジング１１が係止部１１ｆを有していたが、アクチュエータ１３がＦＰＣ５０ｂを係止する係止部を有するようにしてもよい。
【００７８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７９】
本発明は、電子機器又は電気機器の基板に実装される電気コネクタに適用することができる。
【符号の説明】
【００８０】
１０Ａ，１０Ｂ  電気コネクタ、１１  ハウジング、１１ａ  下受部、１１ｂ  上板部、１１ｃ  スリット、１１ｅ  拡張部、１１ｆ  係止部、１２  コンタクト、１２ａ  第１のコンタクト、１２ｂ  第２のコンタクト、１２ａｕ，１２ｂｕ  上ビーム、１２ａｂ，１２ｂｂ  下ビーム、１２ａｓ，１２ｂｓ  接続部、１２ａｂｆ，１２ｂｂｆ  前方下ビーム、１２ａｂｂ，１２ｂｂｂ  後方下ビーム、１２ａｕｆ，１２ｂｕｆ  前方上ビーム、１２ａｕｂ，１２ｂｕｂ  後方上ビーム、１２ａｂｃ  第１の信号接点部、１２ａｕｃ＿ｆ，１２ａｂｃ＿ｆ  接触部、１２ａ＿ｓｕｂ＿ｃ，１２ａ＿ｓｕｂ＿ｃ１，１２ａ＿ｓｕｂ＿ｃ２  第１の基板接続部、１２ａｈ１，１２ａｈ２  係止部、１２ｂｕｃ，１２ｂｕｃ＿ｆ  第２の信号接点部、１２ｂｂｃ，１２ｂｂｃ＿ｆ  第２の接触部、１２ｂｂｃ＿ｂ  接触部、１２ｂ＿ｓｕｂ＿ｃ，１２ｂ＿ｓｕｂ＿ｃ１，１２ｂ＿ｓｕｂ＿ｃ２  第２の基板接続部、１２ｂｈ１  係止部、１２ｈ，１２ｂｈ２  固定部、１３  アクチュエータ、１３ａ  操作部、１３ｃ  カム部、１３ｄ  回転軸、１３ｅ  スリット、１５ｆ，１５ｂ  差込口、５０ｆ，５０ｂ  ＦＰＣ、５１ｆ，５１ｂ  電極、５２ｂ  突起部、Ｚｂ，Ｚｕ  溝。
【図１】
2017103152.tif 000003
【図２】
2017103152.tif 000004
【図３】
2017103152.tif 000005
【図４】
2017103152.tif 000006
【図５】
2017103152.tif 000007
【図６】
2017103152.tif 000008
【図７】
2017103152.tif 000009
【図８】
2017103152.tif 000010
【図９】
2017103152.tif 000011
【図１０】
2017103152.tif 000012
【図１１】
2017103152.tif 000013
【図１２】
2017103152.tif 000014
【図１３】
2017103152.tif 000015